(57)【要約】【課題】光学ディスクドライブの保護ユニットが内蔵された電子装置を提供する。【解決手段】電子装置は、第一ハウジング、第二ハウジング、光学ディスクドライブのドライブ本体及び光学ディスクドライブの保護ユニットを備える。第二ハウジングと第一ハウジングは収容空間を形成し、光学ディスクドライブのドライブ本体は、収容空間内に位置するように前記第二ハウジングに配置され、光学ディスクドライブの保護ユニットは、前記光学ディスクドライブのドライブ本体を覆いつつ、少なくとも一部分が第二ハウジングに相互連接する。【選択図】図３
0003124413.tif 000002
【実用新案登録請求の範囲】
【請求項１】
第一ハウジングと、
前記第一ハウジングとともに収容空間を形成する第二ハウジングと、
前記収容空間内に位置するように前記第二ハウジングに配置される光学ディスクドライブのドライブ本体と、
前記光学ディスクドライブのドライブ本体を覆いつつ、少なくともその一部分が前記第二ハウジングに相互連接する光学ディスクドライブの保護ユニットと、
を備えることを特徴とする電子装置。
【請求項２】
前記光学ディスクドライブの保護ユニットは、
前記光学ディスクドライブのドライブ本体を覆う本体部と、
前記本体部に連接し、係合、リベットまたはねじにより前記第二ハウジングに連接される連接部と、
を備えることを特徴とする請求項１に記載の電子装置。
【請求項３】
前記光学ディスクドライブのドライブ本体は、前記第一ハウジングまたは前記第二ハウジングのいずれか一つに固定される、
ことを特徴とする請求項１に記載の電子装置。
【請求項４】
第一ハウジングと、
前記第一ハウジングとともに収容空間を形成する第二ハウジングと、
前記収容空間内に位置するように前記第二ハウジングに配置される光学ディスクドライブのドライブ本体と、
前記光学ディスクドライブのドライブ本体を覆いつつ、少なくともその一部分が前記第一ハウジングに相互連接する光学ディスクドライブの保護ユニットと、
を備えることを特徴とする電子装置。
【請求項５】
前記光学ディスクドライブの保護ユニットは
前記光学ディスクドライブのドライブ本体を覆う本体部と、
前記本体部に連接し、係合、リベットまたはねじにより前記第一ハウジングに連接される連接部と、
を備えることを特徴とする請求項４に記載の電子装置。
【請求項６】
前記光学ディスクドライブのドライブ本体は、前記第一ハウジングまたは前記第二ハウジングのいずれか一つに固定される、
ことを特徴とする請求項４に記載の電子装置。
【請求項７】
第一ハウジングと、
前記第一ハウジングとともに収容空間を形成する第二ハウジングと、
前記収容空間内に位置するように前記第二ハウジングに配置される光学ディスクドライブのドライブ本体と、
前記第一ハウジングに接触し、前記第一ハウジングから加えられた外力を部分的に前記第二ハウジングに分散させることで、前記第一ハウジングが負担した外力を緩衝し、前記光学ディスクドライブのドライブ本体の破損を防止することが可能である保護ユニットと、
を備えることを特徴とする電子装置。
【請求項８】
前記光学ディスクドライブの保護ユニットは、
前記光学ディスクドライブのドライブ本体を覆う本体部と、
前記本体部に連接し、係合、リベットまたはねじにより前記第二ハウジングに連接される連接部と、
を備えることを特徴とする請求項７に記載の電子装置。
【考案の詳細な説明】
【技術分野】
【０００１】
本考案は、電子装置に関し、特に薄型光学ディスクドライブを有する電子装置に関するものである。
【背景技術】
【０００２】
ノートパソコンの使用者がキーボードを操作する際に、下方に配置される光学ディスクドライブが圧迫されたり、あるいは、外力により光学ディスクドライブの上方に配置されるノートパソコンのハウジングが圧迫されたりすることによる光学ディスクドライブの破壊を防ぐために、ノートパソコンは、光学ディスクドライブとノートパソコンのハウジングとの間に一定の距離を保つことが必要である。即ち、光学ディスクドライブの上方に一定の空間を設けることで、ハウジングが圧迫されている間も、その圧迫に伴い光学ディスクドライブが圧迫されるのを防いでいる。
【０００３】
図１と図２に示すように、周知のノートパソコン１は、光学ディスクドライブ１１、ハウジング上部１２、ハウジング下部１３及びキーボード１４を備える。ハウジング上部１２とハウジング下部１３は収容空間を構成し、光学ディスクドライブ１１は収容空間に配置され、キーボード１４はハウジング上部１２に配置される。これらのうち光学ディスクドライブ１１は、蓋体１１１、ドライブ本体１１２と底座１１３から成る。ドライブ本体１１２が底座１１３上に配置され、蓋体１１１がドライブ本体１１２上に配置されることにより、ドライブ本体１１２は保護され、そして、底座１１３はハウジング下部１３上に配置される。この時、ハウジング上部１２と蓋体１１１の間に所定の空間を設けることで、ハウジング上部１２が外力により圧迫されても、光学ディスクドライブ１１が外力を受けて破損するのを防ぐことができる。この所定の空間の高さは、１〜２ｍｍである。
【０００４】
また、光学ディスクドライブ１１は、その厚さによって薄型と超薄型の二種類に分けられている。薄型光学ディスクドライブの厚さは１２．７ｍｍ、超薄型光学ディスクドライブの厚さは９．５ｍｍである。薄型と超薄型の光学ディスクドライブを比べると、超薄型光学ディスクドライブに採用される主軸モーターや光学ピックアップヘッド等の内部ユニットは、体積が比較的小さいが、コストは高い。ノートパソコンの厚さを薄くするために、薄型光学ディスクドライブを採用せずに超薄型光学ディスクドライブを採用すると、メーカーの負担するコストが高くなる。反対に、薄型光学ディスクドライブを採用すると、ノートパソコン全体の厚みが増し、軽量、薄型、小型化の傾向に対応できなくなる。
【考案の開示】
【考案が解決しようとする課題】
【０００５】
したがって、電子装置における光学ディスクドライブが外力を受けて破損するのを防ぎ、光学ディスクドライブとノートパソコンのハウジング上部との間の所定の空間を減少させながら、ノートパソコン全体の厚さを薄くすることができる光学ディスクドライブの保護ユニットを提供することが、現在の最も重要な課題の一つである。
【０００６】
本考案の主な目的は、光学ディスクドライブの保護ユニットを内蔵した電子装置を提供することにある。
【課題を解決するための手段】
【０００７】
上述の目的を達成するために、本考案による電子装置は、第一ハウジング及び第二ハウジング、光学ディスクドライブのドライブ本体及び光学ディスクドライブの保護ユニットを備える。これらのうち第二ハウジングと第一ハウジングは、収容空間を形成し、光学ディスクドライブのドライブ本体は、収容空間内に位置するように第二ハウジングに配置され、光学ディスクドライブの保護ユニットは、光学ディスクドライブのドライブ本体を覆いつつ、少なくとも一部分が第二ハウジングに相互連接する。
【０００８】
また、本考案によるもう一つの電子装置は、第一ハウジング及び第二ハウジング、光学ディスクドライブのドライブ本体及び光学ディスクドライブの保護ユニットを備える。これらのうち第二ハウジングと第一ハウジングは、収容空間を形成し、光学ディスクドライブのドライブ本体は、収容空間内に位置するように第二ハウジングに配置され、光学ディスクドライブの保護ユニットは、光学ディスクドライブのドライブ本体を覆いつつ、少なくとも一部分が第一ハウジングに相互連接する。
【考案の効果】
【０００９】
上述したものをまとめると、本考案による電子装置は、光学ディスクドライブの保護ユニットを有し、かつ、光学ディスクドライブの保護ユニットが少なくとも一部分において第二ハウジングに相互連接することにより、第一ハウジングから加えられた外力を部分的に第二ハウジングに分散させ、第一ハウジングが負担した外力を緩衝し、光学ディスクドライブのドライブ本体の破損を防ぐことができる。また、このような設計により、本考案は、周知の技術による電子装置において、ハウジング上部と光学ディスクドライブとの間に設ける必要がある空間を縮小するかゼロにすることができる。このため、コストが比較的低く、厚さが比較的厚い光学ディスクドライブ（例えば、厚さ：１２．７ｍｍの薄型光学ディスクドライブ）を装着しても、電子装置全体の厚さを、周知の技術を用いて超薄型光学ディスクドライブ（厚さ：９．５ｍｍ）を装着した電子装置に近い厚さに維持することができる。上述したように、本考案による電子装置は、厚さが比較的厚く、コストが比較的低い光学ディスクドライブを装着しても、軽量、薄型、小型化の要求に応えることができる。したがって、本考案による電子装置のコストは、周知の技術を用いて超薄型光学ディスクドライブを装着した電子装置のコストよりも低くなる。
【考案を実施するための最良の形態】
【００１０】
以下、本考案の実施例による電子装置を図面に基づいて説明する。
【００１１】
［実施例１］
本考案の実施例による電子装置は、第一ハウジング及び第二ハウジング、光学ディスクドライブのドライブ本体及び光学ディスクドライブの保護ユニットを備える。これらのうち第二ハウジングと第一ハウジングは、収容空間を形成し、光学ディスクドライブのドライブ本体は収容空間内に位置するように第二ハウジングに配置され、光学ディスクドライブの保護ユニットは、光学ディスクドライブのドライブ本体を覆いつつ、少なくとも一部分が第一ハウジングまたは第二ハウジングに相互連接する。なお本考案は、従来、光学ディスクドライブのドライブ本体の上下を覆っていた蓋体と底座を必要としない。
【００１２】
本考案の実施例による電子装置は、ノートパソコン、パネル型コンピューターまたはＤＶＤレコーダー等の、光学ディスクドライブが内蔵された電子装置等のいずれか一つである。説明の便を図るために、ノートパソコンを例に挙げて、以下に実施例を説明する。
【００１３】
図３、図４及び図５に示すように、本考案の実施例による電子装置２は、ノートパソコンである。
【００１４】
本実施例では、第一ハウジング２１上にキーボード２６を設けることができる。第二ハウジング２２と第一ハウジング２１は、収容空間２５を形成し、光学ディスクドライブのドライブ本体２３は、収容空間２５内に位置するように第二ハウジング２２に配置される。
【００１５】
光学ディスクドライブの保護ユニット２４は、光学ディスクドライブのドライブ本体２３を覆いつつ、少なくとも一部分が第二ハウジング２２に相互連接する。また、光学ディスクドライブの保護ユニット２４は、本体部２４１と連接部２４２から成る。これらのうち本体部２４１は、光学ディスクドライブのドライブ本体２３を覆い、連接部２４２は、本体部２４１に連接すると同時に第二ハウジング２２に相互連接する。ここで、本実施例における光学ディスクドライブの保護ユニット２４の厚さは、約０．５ｍｍである。また、光学ディスクドライブの保護ユニット２４は、高強度の材料で構成することができる。
【００１６】
また、本実施例の本体部２４１と連接部２４２は、一体成型することができる。光学ディスクドライブの保護ユニット２４は、板金にて形成することもでき、この時、連接部２４２は、ねじ締めにより第二ハウジング２２に固定される。また、連接部２４２と第二ハウジング２２は、係合、リベット等の方法により連接することもできる。また、第一ハウジング２１と光学ディスクドライブの保護ユニット２４との間の距離は、１ｍｍ以下にすることができる。
【００１７】
本実施例では、光学ディスクドライブのドライブ本体２３は、第一ハウジング２１と第二ハウジング２２のいずれか一つに固定することで、ノートパソコン２の一定の位置に固定することができる。
【００１８】
第一ハウジング２１が外力を受けて圧迫された時、連接部２４２は、第二ハウジング２２に連接していることで、第一ハウジング２１が本体部２４１に加えた外力を部分的に第二ハウジング２２に分散させるため、光学ディスクドライブのドライブ本体２３への第一ハウジング２１からの圧迫は、緩和される。したがって、光学ディスクドライブの保護ユニット２４と第一ハウジング２１の間の距離を縮小するか、あるいは、間隔を設けずに、光学ディスクドライブの保護ユニット２４と第一ハウジング２１を密着させることができる。
【００１９】
ここで、ノートパソコン２に、コストは低いが厚さが比較的厚い光学ディスクドライブを装着する場合、光学ディスクドライブのドライブ本体２３は、その下部に従来備えられていた底座がない分、薄型光学ディスクドライブの部品を使用しつつ、主軸モーターの最上端のコンパクトディスクサブマウントの高さをやや低くすることができる。したがって、薄型光学ディスクドライブの部品を使用した本実施例によるノートパソコン２の厚さは、周知の超薄型光学ディスクドライブが内蔵されているノートパソコンの厚さに近づき、かつ、そのコストを、周知の超薄型光学ディスクドライブを内蔵するノートパソコンに比べて、大幅に削減することができる。
【００２０】
また、メーカーは、光学ディスクドライブの保護ユニット２４と光学ディスクドライブのドライブ本体２３とを組み合わせて、光学ディスクドライブモジュールを構成することができるため、メーカーの販売、出荷または搬送にとって便利である。
【００２１】
また、図６に示すように、第二ハウジング２２が側体２２１を有する時、光学ディスクドライブのドライブ本体２３は、連接部２４２のねじ締めにより第二ハウジングの側体２２１に隣接して固定できる。
【００２２】
また、図７に示すように、連接部２４２は、直接光学ディスクドライブのドライブ本体２３を貫通して第二ハウジング２２に連接することもできる。
【００２３】
また本実施例では、図９と図１０に示すように、光学ディスクドライブの保護ユニット２４は穿孔２４３を有してもよく、この場合、光学ディスクドライブのドライブ本体２３の主軸モーター２３１は、穿孔２４３を貫通するように装着されるため、光学ディスクドライブのドライブ本体と光学ディスクドライブの保護ユニットとを組み合わせた高さを、より低くすることができる。
【００２４】
［実施例２］
また、図８に示すように、本考案のもう一つの実施例における光学ディスクドライブの保護ユニット２４は、第一ハウジング２１に相互連接される。本実施例では、連接部２４２は、ねじ締めにより第一ハウジング２１に固定されるが、光学ディスクドライブの保護ユニット２４と第一ハウジング２１の連接方法は、本実施例に制限されない。この両者の連接固定方法は、図３〜図７に示す実施例における光学ディスクドライブの保護ユニット２４と第二ハウジング２２の連接固定方法と同様にすることもできる。したがって、ここでは、光学ディスクドライブの保護ユニット２４と第一ハウジング２１の連接方法についての詳しい説明を省略する。
【００２５】
また、図１１と図１２に示すように、保護ユニット２７を第一ハウジング２１に装着するか、あるいは、保護ユニット２７と第一ハウジング２１とを一体成型できる。このため、第一ハウジング２１が外力を受けると、保護ユニット２７は第二ハウジング２２に接触し、第一ハウジング２１から加えられた外力を部分的に第二ハウジング２２に分散させることで、第一ハウジング２１が負担した外力を緩衝し、光学ディスクドライブのドライブ本体２３の破損を防ぐことができる。
【００２６】
上述したように、本考案による電子装置は、光学ディスクドライブの保護ユニットを有し、かつ、光学ディスクドライブの保護ユニットが少なくとも一部分において第二ハウジングに相互連接するため、第一ハウジングから加えられた外力を部分的に第二ハウジングに分散させることで、第一ハウジングが負担した外力を緩衝し、光学ディスクドライブのドライブ本体の破損を防ぐことができる。同時に、このような設計により、本考案は、周知技術において設ける必要があった上蓋と光学ディスクドライブの間の空間を縮小するか、ゼロにすることができる。このため、電子装置に、コストは安いが厚さが比較的厚い光学ディスクドライブ（例えば、厚さ：１２．７ｍｍの薄型光学ディスクドライブ）を装着しても、電子装置全体の厚さを、周知の技術を用いて超薄型光学ディスクドライブ（厚さ：９．５ｍｍ）を装着した電子装置に近い厚さにすることができる。上述したように、本実施例による電子装置は、厚さが比較的厚く、コストが比較的低い光学ディスクドライブを装着しても、軽量、薄型、小型化の要求に応えることができる。したがって、本考案による電子装置のコストは、周知の技術を用いて超薄型光学ディスクドライブを装着した電子装置のコストよりも低くなる。
【００２７】
上述したものは一例に過ぎないため、本考案は、これに限定されない。本考案の精神と範疇を逸脱しない限り、同等の修正または変更をするのは、本考案の請求範囲に属すべきである。
【図面の簡単な説明】
【００２８】
【図１】周知のノートパソコンの分解図である。
【図２】周知の組み立てられたノートパソコンを示す図である。
【図３】本考案の実施例による電子装置の分解図である。
【図４】本考案の実施例による組み立てられた電子装置を示す図である。
【図５】本考案の実施例による電子装置の側断面図である。
【図６】本考案の実施例による電子装置の側断面図である。
【図７】本考案の実施例による電子装置の側断面図である。
【図８】本考案の実施例による電子装置の側断面図である。
【図９】本考案の実施例による電子装置の分解図である。
【図１０】本考案の実施例による組み立てられた電子装置を示す図である。
【図１１】本考案のもう一つの実施例による電子装置の側断面図である。
【図１２】本考案のもう一つの実施例による電子装置の側断面図である。
【符号の説明】
【００２９】
１      ノートパソコン
１１    光学ディスクドライブ
１１１  蓋体
１１２  ドライブ本体
１１３  底座
１２    ハウジング上部
１３    ハウジング下部
１４    キーボード
２      電子装置
２１    第一ハウジング
２２    第二ハウジング
２２１  側体
２３    光学ディスクドライブのドライブ本体
２３１  主軸モーター
２４    光学ディスクドライブの保護ユニット
２４１  本体部
２４２  連接部
２４３  穿孔
２５    収容空間
２６    キーボード
２７    保護ユニット
【図１】
0003124413.tif 000003
【図２】
0003124413.tif 000004
【図３】
0003124413.tif 000005
【図４】
0003124413.tif 000006
【図５】
0003124413.tif 000007
【図６】
0003124413.tif 000008
【図７】
0003124413.tif 000009
【図８】
0003124413.tif 000010
【図９】
0003124413.tif 000011
【図１０】
0003124413.tif 000012
【図１１】
0003124413.tif 000013
【図１２】
0003124413.tif 000014